(57)【要約】    【課題】開口に蓋を有する包装容器の封緘と、包装容器の原材料を表示するリサイクルマークを包装容器の各部分に表示出来る封緘シールを提供する。    【解決手段】開口に蓋１１を有する包装容器１０の蓋１１と容器本体１２とを封緘し、蓋１１と容器本体１２の各々にリサイクルマーク６、７の表示を行う封緘シール１であって、包装容器１０の開封後も切断部５により封緘シール１が蓋１１部分と容器本体１２部分の各々に切断されることによって蓋１１と容器本体１２の各々にリサイクルマーク６，７の表示が行える。【選択図】    図４
2005107012.tif 000002
【特許請求の範囲】
【請求項１】
容器本体と、前記容器本体の開口に取り付けた蓋と、によって構成されている包装容器に貼付される封緘シールであって、
前記蓋に貼付が可能で、前記蓋の原材料に対応するリサイクルマークが印刷されている蓋シール部と、
前記容器本体に貼付が可能で、前記容器本体の原材料に対応するリサイクルマークが印刷されている容器本体シール部と、
前記蓋シール部と前記容器本体シール部とに跨って配置される連結シール部と、
前記蓋シール部と前記連結シール部との連結部分に形成された切断部と、を有することを特徴とする封緘シール。
【請求項２】
容器本体と、前記容器本体に取り付けられて製品表示するラベルと、前記容器本体の開口に取り付けた蓋と、によって構成されている包装容器に貼付される封緘シールであって、
前記蓋に貼着が可能で、前記蓋の原材料に対応するリサイクルマークが印刷されている蓋シール部と、
前記蓋シール部に連結されて、前記蓋と前記ラベルとの中間に配置されており、前記容器本体に貼着が可能で、前記容器本体の原材料に対応するリサイクルマークが印刷されている容器本体シール部と、
前記容器本体シール部に連結されて、前記ラベルに貼着可能で、前記ラベルの原材料に対応するリサイクルマークが印刷されているラベルシール部と、
前記蓋シール部と前記容器本体シール部と前記ラベルシール部との連結部分に形成された切断部と、を有することを特徴とする封緘シール。
【請求項３】
前記切断部は、切取線または切込みにて形成されることを特徴とする請求項１、２記載の封緘シール。
【請求項４】
前記蓋シール部と前記容器本体シール部のリサイクルマークが印刷されている面に、広告、宣伝、キャンペーン告知の印刷をする余白があることを特徴とする請求項１記載の封緘シール。
【請求項５】
前記連結シール部は、接着性を有しないことを特徴とする請求項１記載の封緘シール。
【請求項６】
前記蓋シール部と前記ラベルシール部と前記容器本体シール部のリサイクルマークが印刷されている面に、広告、宣伝、キャンペーン告知の印刷をする余白があることを特徴とする請求項２記載の封緘シール
【発明の詳細な説明】
【技術分野】
【０００１】
本発明は、開口に蓋を有する包装容器の蓋と容器本体の部分に跨って貼付する封緘シールに係り、詳しくは、包装容器にリサイクルマークを表示する封緘シールに関する。
【背景技術】
【０００２】
資源有効利用促進法の施行により、プラスチックやＰＥＴ製等の指定の原材料によって製造された包装容器について利用事業者又は生産事業者がリサイクルマークを表示することが義務化された。リサイクルマークの表示は、複数の包装材による多重包装の場合に限って表示可能な場所に一括表示することが認められている。
【０００３】
開口に蓋を有する包装容器のリサイクルマークの表示は、容器本体又は蓋に貼付けられた製品名、製品内容表示が印刷されているラベルに印刷されていた。また、開口に蓋を有する包装容器は、蓋と容器本体の原材料が異なる場合があるが、そのような場合は、容器本体に対するリサイクルマークと蓋に対するリサイクルマークがラベルに一括表示されていた。
また、蓋と容器本体とラベルの原材料が異なる場合もあるが、そのような場合は、容器本体に対するリサイクルマークと蓋に対するリサイクルマークとラベルに対するリサイクルマークがラベルに一括表示されていた。
【０００４】
開口に蓋を有する包装容器の蓋と容器本体の部分に跨って貼付する封緘シールがある。この封緘シールは、蓋が容易に開封することを防止することの他に、生産時より蓋が開封されていないことを販売の際の店頭での陳列時にユーザーに安全性をアピールするために貼付けていた。
【０００５】
しかしながら、包装容器の容器本体と蓋にリサイクルマークを一括表示するラベルにあっては、ラベルが剥がれてしまうと容器本体と蓋に対するリサイクルマークの表示がなくなってしまうため、ユーザーがこの包装容器を廃棄する際に容器本体と蓋の原材料を分別して廃棄することが困難となる。また、容器本体と蓋に対するリサイクルマークをラベルに一括表示することにより、容器本体に対するリサイクルマークの表示なのか、蓋に対するリサイクルマークの表示なのかを判断することが困難となる。
【０００６】
また、包装容器の容器本体と蓋とラベルのリサイクルマークを一括表示するラベルにあっては、ラベルが剥がれてしまうと容器本体と蓋とラベルに対するリサイクルマークの表示がなくなってしまうため、ユーザーがこの包装容器を廃棄する際に容器本体と蓋とラベルの原材料を分別して廃棄することが困難となる。また、容器本体と蓋とラベルに対するリサイクルマークをラベルに一括表示することにより、容器本体に対するリサイクルマークの表示なのか、蓋に対するリサイクルマークの表示なのか、ラベルに対するリサイクルマークの表示なのかを判断することが困難となる。
【０００７】
封緘シールにあっては、蓋が容易に開封することを防止することの他に、生産時より蓋が開封されていないことを販売の際の店頭での陳列時にユーザーに安全性をアピールするための役割であり、開封後は分断された封緘シールを剥がしてしまい廃棄するだけなど、貼付いていることによる効果が薄いという問題があった。
【特許文献１】特開平２００２−１６２９０９号公報
【発明の開示】
【発明が解決しようとする課題】
【０００８】
本発明は、上記のような問題点に着目してなされたものであって、開口に蓋を有する包装容器の蓋と容器本体とを封緘し、蓋と容器本体の各々にリサイクルマークの表示を行う封緘シールであって、包装容器の開封後も切断部により封緘シールが蓋部分と容器本体部分の各々に切断されることによって蓋と容器本体の各々にリサイクルマークの表示が行える封緘シールを提供することを課題とする。
【０００９】
また、開口に蓋を有する包装容器の蓋と容器本体とを封緘し、蓋と容器本体とラベルの各々にリサイクルマークの表示を行う封緘シールであって、包装容器の開封後も切断部により封緘シールが蓋部分と容器本体部分の各々に切断されることによって蓋と容器本体とラベルの各々にリサイクルマークの表示が行える。更に包装容器の廃棄の時に容器本体からラベルを剥がした際に、切断部により封緘シールが容器本体部分とラベル部分の各々に切断されることによって容器本体とラベルの各々にリサイクルマークの表示が行える封緘シールを提供することを課題とする。
【課題を解決するための手段】
【００１０】
第１の発明に係る封緘シールは、容器本体と、前記容器本体の開口に取り付けた蓋と、によって構成されている包装容器に貼付される封緘シールであって、
前記蓋に貼付が可能で、前記蓋の原材料に対応するリサイクルマークが印刷されている蓋シール部と、前記容器本体に貼付が可能で、前記容器本体の原材料に対応するリサイクルマークが印刷されている容器本体シール部と、前記蓋シール部と前記容器本体シール部とに跨って配置される連結シール部と、前記蓋シール部と前記連結シール部との連結部分に形成された切断部と、を有することを特徴とする。
また、第２の発明に係る封緘シールは、容器本体と、前記容器本体に取り付けられて製品表示するラベルと、前記容器本体の開口に取り付けた蓋と、によって構成されている包装容器に貼付される封緘シールであって、
前記蓋に貼着が可能で、前記蓋の原材料に対応するリサイクルマークが印刷されている蓋シール部と、前記蓋シール部に連結されて、前記蓋と前記ラベルとの中間に配置されており、前記容器本体に貼着が可能で、前記容器本体の原材料に対応するリサイクルマークが印刷されている容器本体シール部と、前記容器本体シール部に連結されて、前記ラベルに貼着可能で、前記ラベルの原材料に対応するリサイクルマークが印刷されているラベルシール部と、前記蓋シール部と前記容器本体シール部と前記ラベルシール部との連結部分に形成された切断部と、を有することを特徴とする。
また、切断部は、切取線または切込みにて形成するようにできる。
また、蓋シール部と容器本体シール部のリサイクルマークが印刷されている面に、広告、宣伝、キャンペーン告知の印刷をする余白があるようにできる。
また、連結シール部は、接着性を有しないようにできる。
また、蓋シール部とラベルシール部と容器本体シール部に、広告、宣伝、キャンペーン告知の印刷をする余白があるようにできる。
【発明の効果】
【００１１】
この発明に係る封緘シールは、蓋のリサイクルマークが印刷された蓋シール部と、容器本体のリサイクルマークが印刷された容器本体シール部とを有し、蓋及び容器本体の各々に貼付可能としたので、包装容器の蓋と容器本体に対するリサイクルマークが、各々に表示が出来る。
【００１２】
包装容器の開封後も封緘シールが切断部によって蓋部分と容器部分に切断されるため、蓋と容器本体の各々にリサイクルマークの表示が行える。よって容器本体からリサイクルマークが一括表示してあるラベルが剥がれてしまった場合も、容器を廃棄する際に、蓋と容器本体に対応するリサイクルマークが表示してあるため、分別して廃棄し易い。
【００１３】
また、包装容器の蓋と容器本体の原材料が異なっている場合に、包装容器の蓋と容器本体の各々にリサイクルマークの表示が行えるため、包装容器の廃棄の際に、ユーザーに蓋と容器本体を分別して廃棄することを促進出来るという効果がある。
【００１４】
開口部に蓋を有する包装容器の封緘シールで、蓋と容器本体とラベルに対するリサイクルマークが封緘シールの蓋部分と容器本体部分とラベル部分によって各々に表示が出来る。
【００１５】
包装容器の開封後も封緘シールが切断部によって蓋部分と容器部分に切断されるため、蓋と容器本体とラベルの各々にリサイクルマークの表示が行える。よって、容器本体からリサイクルマークが一括表示してあるラベルが剥がれてしまっても、容器を廃棄する際に、蓋と容器本体とラベルに対応するリサイクルマークが表示してあるため、分別して廃棄し易い。また、包装容器を廃棄の際に、ラベルを剥がしても封緘シールが容器本体部分とラベル部分の各々に切断されることによって容器本体とラベルの各々にリサイクルマークの表示が行える。
【００１６】
また、包装容器の蓋と容器本体とラベルの原材料が異なっている場合に、包装容器の蓋と容器本体とラベルの各々にリサイクルマークの表示が行えるため、包装容器の廃棄の際に、ユーザーに蓋と容器本体とラベルを分別して廃棄することを促進出来るという効果がある。
【発明を実施するための最良の形態】
【００１７】
以下、本発明の好適な第一の実施の形態を図１ないし図4に基づき説明する。
【００１８】
図１に開示されるように、封緘シール１は、蓋シール部２と、容器本体シール部３と、蓋シール部２と容器本体シール部３との中間に配置され、蓋シール部２と容器本体シール部３とを連結する連結シール部４と、より形成されている。
【００１９】
蓋シール部２には蓋リサイクルマーク６が、また、容器本体シール部３には容器本体リサイクルマーク７が、各々印刷されている。例えば、包装容器がペットボトルの場合では、蓋シール部２にはプラスチックを表示するリサイクルマークが、また、容器本体シール部３にはＰＥＴを表示するリサイクルマークが、各々印字されている。また、蓋シール部２と容器本体シール部３のリサイクルマークが表示されている面の余白に、宣伝、広告、製品キャンペーンの告知等の印刷をする場合がある。
【００２０】
図２は封緘シール１の裏面である。蓋シール部２には粘着剤が施された蓋貼付部８が、また、容器本体シール部３には粘着剤が施された容器本体貼付部９が、各々形成されている。また、連結シール部４には粘着剤が無く、よって接着性を有しない。また、連結シール部４は、蓋シール部２及び容器本体シール部３と比較して幅が狭く形成されている。更に、蓋シール部２と連結シール部４との境界位置には切断部としての切取線５が形成されている。
【００２１】
次に、主に、図３および図４を用いて、動作状態を説明する。
【００２２】
封緘シール１を、同図に示す包装容器１０に用いた例で説明する。
包装容器１０は、蓋１１付きの容器本体１２であって、以降、蓋１１と容器本体１２がネジ状に螺合されているペットボトルを例にとって説明する。
蓋１１に封緘シール１の蓋貼付部８の粘着性を用いて蓋シール部２を貼り付け、さらに、容器本体１２に容器本体貼付部９の粘着性を用いて容器本体シール部３を貼り付ける。また、１３は、ラベルであり、このラベル１３は、蓋１１と容器本体１２に対するリサイクルマークを一括表示しており、容器本体１２に表示されている(図３参照)。
【００２３】
上述したように、封緘シール１を貼付けた包装容器１０は、使用時、図４に示すように蓋１１を回すことによって開封が行われる。すなわち、開封動作が行われると、封緘シール１の切取線５が切断されて、蓋シール部２と連結シール部４が分離される。このように分離された後も蓋シール部２は蓋貼付部８を介して蓋１１に、また、容器本体シール部３は前記容器本体貼付部９を介して容器本体１２に、各々貼付いている。よって、容器本体１２に貼付いている製品名、製品内容表示が印刷され、かつ、蓋１１と容器本体１２に対するリサイクルマークを一括表示しているラベル１３が剥がれてしまった場合も、リサイクルマークの表示は、蓋１１に貼付・表示された蓋シール部２、および容器本体１２に貼付・表示された容器本体シール部３によって行われている。
なお、包装容器１０の開封のため、蓋１１の回転を行うことにより蓋シール部２と容器本体シール部３が剥がれること、又は、開封後に剥がれてしまうことを防止するために蓋貼付部８と容器本体貼付部９の粘着剤は強粘着性のものとする。
【００２４】
図５は、第二の実施の形態を示す封緘シール１４である。
なお、先の実施の形態と共通する部分については同一符号を付すに止め、詳説を省略する。
同図に示すように、蓋シール部２と連結シール部４の間には、切断部としての切り欠き１５が形成されている。切り欠き１５のきり欠き度合（深さ）を調整することにより、先の実施の形態の切取線５に比し、開封のために蓋１１を回したときの切れ易さの度合いが調整可能となるものである。
なお、他の構成、作用、効果は、先の実施の形態と同様につき、詳説を省略する。
【００２５】
次に、図６ないし図１０に基づき本発明の好適な第三の実施の形態を説明する。
なお、先の実施の形態と共通する部分については同一符号を付すに止め、詳説を省略する。
【００２６】
図６に開示されるように、封緘シール１６は、蓋シール部１７と容器本体シール部１８とラベルシール部１９とが連結して形成されている。
【００２７】
蓋シール部１７には蓋リサイクルマーク６が、また、容器本体シール部１８には容器本体リサイクルマーク７が、さらに、ラベルシール部１９にはラベルリサイクルマーク２０が、各々印刷されている。ペットボトルを例示した包装容器１０の場合では、蓋シール部１７にはプラスチックを表示するリサイクルマークが、また、容器本体シール部１８にはＰＥＴを表示するリサイクルマークが、さらに、ラベルシール部１９にはプラスチックを表示するリサイクルマークが、各々印字されている。また、蓋シール部１７と容器本体シール部１８とラベルシール部１９のリサイクルマークが表示されている面の余白に、宣伝、広告、製品キャンペーンの告知等の印刷をする場合がある。
【００２８】
図７は封緘シール１６の裏面である。蓋シール部１７には粘着剤が施された蓋貼付部２２が、また、容器本体シール部１８には粘着剤が施された容器本体貼付部２３が、さらに、ラベルシール部１９には粘着剤が施されたラベル貼付部２４が、各々印字されている。また、ラベルシール部１９は、蓋シール部１７と容器本体シール部１８に比較して幅が狭く、長さを短く形成する。また、蓋シール部１７と容器本体シール部１８とラベルシール部１９との境界位置には切断部としての切取線２１が形成されている。更に、蓋貼付部２２と容器本体貼付部２３の境目である切取線２１付近は接着剤が施されていない空白部２５によって形成されているため、接着性を有しない。切取線２１付近が接着性を有しない空白部２５となっていることにより、切取線２１に力が加わった際、切れ易いものである。
【００２９】
次に、主に、図８ないし図１０を用いて、動作状態を説明する。
【００３０】
封緘シール１６を同図に示す包装容器１０に用いた例で説明する。
【００３１】
蓋１１に封緘シール１６の蓋貼付部２２の粘着性を用いて蓋シール部１７を貼り付け、また、容器本体１２に容器本体貼付部２３の粘着性を用いて容器本体シール部１８を貼り付け、また、ラベル１３にラベル貼付部２４の粘着性を用いてラベルシール部１９を貼り付ける（図８参照）。
【００３２】
上述したように、封緘シール１６を貼付けた包装容器１０は、使用時、図９に示すように蓋１１を回すことによって開封が行われる。すなわち、開封動作が行われると、封緘シール１６の蓋シール部１７と容器本体シール部１８の境界位置の切取線２１が切断されて、蓋シール部１７と本体シール部１８が分離される。このとき、切取線２１近辺が接着性を有しない空白部２５となっているため、分離が容易である。このように分離された後も蓋シール部１７は蓋貼付部２２を介して蓋１１に、また、容器本体シール部１８は容器本体貼付部２３を介して容器本体１２に、更に、ラベルシール部１９はラベル貼付部２４を介してラベル１３に、各々貼付いている。このとき、容器本体シール部１８が容器本体貼付部２３を介して容器本体１２に貼付いているため、容器本体シール部１８とラベルシール部１９の境界位置の切取線２１は切断されない。更に、ラベル１３が剥がれてしまった場合は、容器本体シール部１８とラベルシール部１９は切取線２１によって分離される。よって、リサイクルマークの表示は、蓋１１が蓋シール部１７、また、容器本体１２が容器本体シール部１８によって各々行われている。
【００３３】
図１０のように、包装容器１０の蓋１１と容器本体１２とラベル１３を分離した場合、蓋シール部１７と容器本体シール部１８とラベルシール部１９の分離は前述したので省略するが、包装容器１０の廃棄の際又は包装容器１０が破損した時も蓋１１と容器本体１２とラベル１３に、各々蓋シール部１７と容器本体シール部１８とラベルシール部１９とが貼り付いているため、各々にリサイクルマークを表示出来る。
【００３４】
包装容器１０の開封のため、蓋１１の回転を行うことにより蓋シール部１７と容器本体シール部１８が剥がれること、又は、開封後に剥がれてしまうことを防止するために蓋貼付部２２と容器本体貼付部２３の粘着剤は強粘着性のものとする。
なお、他の構成、作用、効果は、先の実施の形態と同様につき、詳説を省略する。
【００３５】
図１１は、第四の実施の形態を示す封緘シール２６である。
なお、先の実施の形態と共通する部分については同一符号を付すに止め、詳説を省略する。
同図に示すように、蓋シール部１７と容器本体シール部１８とラベルシール部１９の間には、切断部としての切り欠き２７が形成されている。裏面の蓋貼付部２２、空白部２５、容器本体貼付部２３およびラベル貼付部２４の構成については、第三の実施の形態と同様の構成となっている。
先の実施の形態の切取線２１の代わりとして切り欠き２７を設けたことにより、切り欠き２７のきり欠き度合（深さ）を調整することにより、先の実施の形態の切取線２１に比し、開封のために蓋１１を回したときの切れ易さの度合いが調整可能となるものである。
【００３６】
尚、本発明は上述した実施の形態にのみ限定されるものではなく、本発明の要旨を逸脱しない範囲内において種々の変更を加えることが可能である。
【００３７】
例えば、本発明の封緘シールの形状は、第一の実施の形態で連結シール部４は蓋シール部２と容器本体シール部３と比較して幅が狭く形成されていると説明したが、連結シール部が容易に型崩れを起こさないようにするためには幅を広く形成しても良い。
【図面の簡単な説明】
【００３８】
【図１】本発明の第一の実施の形態における封緘シールの平面図である。
【図２】図１の封緘シールの裏面図である。
【図３】図１の封緘シールを包装容器に貼り付けた状態を示す斜視図である。
【図４】図１の封緘シールを包装容器に貼り付けた後に包装容器を開封した状態を示す斜視図である。
【図５】本発明の第二の実施の形態における封緘シールの平面図である。
【図６】本発明の第三の実施の形態における封緘シールの平面図である。
【図７】図６の封緘シールの裏面図である。
【図８】図６の封緘シールを包装容器に貼り付けた状態を示す斜視図である。
【図９】図６の封緘シールを包装容器に貼り付けた後に包装容器を開封した状態を示す斜視図である。
【図１０】図６の封緘シールを包装容器に貼り付けた後に包装容器の蓋と容器本体とラベルに分解した状態を示す斜視図である。
【図１１】本発明の第四の実施の形態における封緘シールの平面図である。
【符号の説明】
【００３９】
１     封緘シール（第一の実施の形態）
２     蓋シール部
３     容器本体シール部
４     連結シール部
５     切取線
６     蓋リサイクルマーク
７     容器本体リサイクルマーク
８     蓋貼付部
９     容器本体貼付部
１０   包装容器
１１   蓋
１２   容器本体
１３   ラベル
１４   封緘シール（第二の実施の形態）
１５   切り欠き
１６   封緘シール（第三の実施の形態）
１７   蓋シール部
１８   容器本体シール部
１９   ラベルシール部
２０   ラベルリサイクルマーク
２１   切取線
２２   蓋貼付部
２３   容器本体貼付部
２４   ラベル貼付部
２５   空白部
２６   封緘シール（第四の実施の形態）
２７   切り欠き
【図１】
2005107012.tif 000003
【図２】
2005107012.tif 000004
【図３】
2005107012.tif 000005
【図４】
2005107012.tif 000006
【図５】
2005107012.tif 000007
【図６】
2005107012.tif 000008
【図７】
2005107012.tif 000009
【図８】
2005107012.tif 000010
【図９】
2005107012.tif 000011
【図１０】
2005107012.tif 000012
【図１１】
2005107012.tif 000013